(57)【要約】【課題】湯水の有無の誤判定を防止することができる給湯機を提供する。【解決手段】給湯機は、浴槽に接続されたふろ循環回路に設けられたふろ循環ポンプと、ふろ循環回路の内部の圧力を検知する圧力センサと、ふろ循環ポンプの動作前の圧力センサの検出値とふろ循環ポンプの動作停止後の圧力センサの検出値との差分が予め設定された閾値以下のときは浴槽に湯水があると判定する制御部と、を備えた。【選択図】図２
2019184116.tif 000002
【特許請求の範囲】
【請求項１】
浴槽に接続されたふろ循環回路に設けられたふろ循環ポンプと、
前記ふろ循環回路の内部の圧力を検知する圧力センサと、
前記ふろ循環ポンプの動作前の前記圧力センサの検出値と前記ふろ循環ポンプの動作停止後の前記圧力センサの検出値との差分が予め設定された閾値以下のときは前記浴槽に湯水があると判定する制御部と、
を備えた給湯機。
【請求項２】
前記制御部は、前記ふろ循環ポンプの動作前の前記圧力センサの検出値と前記ふろ循環ポンプの動作停止後の前記圧力センサの検出値との差分が前記閾値以下のときと前記閾値よりも大きいときとで異なる制御を行う請求項１に記載の給湯機。
【請求項３】
前記制御部は、前記ふろ循環ポンプの動作と動作停止とを２度行い、前記ふろ循環ポンプの動作前と前記ふろ循環ポンプの１度目の動作停止後との前記圧力センサの検出値の差分、もしくは、前記ふろ循環ポンプの１度目の動作停止後と前記ふろ循環ポンプの２度目の動作停止後の前記圧力センサの検出値の差分が、前記閾値以下のときは前記浴槽に湯水があると判定する請求項１または請求項２に記載の給湯機。
【請求項４】
前記制御部は、前記ふろ循環ポンプの１度目の動作回転数を前記ふろ循環ポンプの最大回転数とする請求項３に記載の給湯機。
【請求項５】
前記制御部は、前記ふろ循環ポンプの１度目の動作時間を前記浴槽から前記ふろ循環ポンプまで湯水を引き込む時間として予め設定された時間とする請求項３または請求項４のいずれか１項に記載の給湯機。
【請求項６】
前記制御部は、前記圧力センサが前記ふろ循環ポンプの２次側に設けられている際に、前記圧力センサに検知される圧力に前記圧力センサと前記浴槽との間の水頭圧を加えた値が前記圧力センサの上限検出値以下以内になるように前記ふろ循環ポンプの２度目の回転数を制限する請求項３から請求項５のいずれか１項に記載の給湯機。
【請求項７】
前記制御部は、前記圧力センサが前記ふろ循環ポンプの２次側に設けられている際に、前記ふろ循環ポンプの２度目の動作中と前記ふろ循環ポンプの２度目の動作停止後との前記圧力センサの検出値の差分が予め設定された第１基準値未満の場合は、前記ふろ循環ポンプの１次側の原因による循環不良と判定する請求項３から請求項６のいずれか１項に記載の給湯機。
【請求項８】
前記制御部は、前記圧力センサが前記ふろ循環ポンプの２次側に設けられている際に、前記ふろ循環ポンプの２度目の動作中と前記ふろ循環ポンプの２度目の動作停止後との前記圧力センサの検出値の差分が前記第１基準値よりも大きい第２基準値を超える場合は、前記ふろ循環ポンプの２次側の原因による循環不良と判定する請求項７に記載の給湯機。
【請求項９】
前記制御部は、前記圧力センサが前記ふろ循環ポンプの２次側に設けられている際に、前記ふろ循環回路が最大長で発生させることのできる前記ふろ循環ポンプの基準回転数で動作させた際に前記ふろ循環ポンプの１次側が閉塞したときの前記圧力センサの検出値を第１基準値とし、前記ふろ循環回路が最大長で発生させることのできる前記ふろ循環ポンプの基準回転数で動作させた際に前記ふろ循環ポンプの２次側が閉塞したときの前記圧力センサの検出値を第２基準値とする請求項８に記載の給湯機。
【請求項１０】
前記制御部は、循環不良と判定した場合に報知装置に循環不良の原因を示す情報を報知させる請求項７から請求項９のいずれか１項に記載の給湯機。
【発明の詳細な説明】
【技術分野】
【０００１】
この発明は、給湯機に関する。
【背景技術】
【０００２】
特許文献１は、給湯機を開示する。当該給湯機において、圧力センサは、ふろ循環回路においてふろ循環ポンプの１次側に設けられる。当該給湯機は、ふろ循環ポンプの動作前とふろ循環ポンプの動作時との圧力センサの検出値の差分に基づいてふろ循環回路の内部の湯水の有無を判定する。
【先行技術文献】
【特許文献】
【０００３】
【特許文献１】特開平０３−２１３９５１号公報
【発明の概要】
【発明が解決しようとする課題】
【０００４】
しかしながら、特許文献１に記載の給湯機においては、ふろ循環回路のはい回し、浴室の設置の高さ、ふろ循環回路の内部の残水状況等により、ふろ循環ポンプの動作前とふろ循環ポンプの動作時との圧力センサの検出値の差分は、様々な値となる。このため、湯水の有無が誤判定されることもある。
【０００５】
この発明は、上述の課題を解決するためになされた。湯水の有無の誤判定を防止することができる給湯機を提供することである。
【課題を解決するための手段】
【０００６】
この発明に係る給湯機は、浴槽に接続されたふろ循環回路に設けられたふろ循環ポンプと、ふろ循環回路の内部の圧力を検知する圧力センサと、ふろ循環ポンプの動作前の圧力センサの検出値とふろ循環ポンプの動作停止後の圧力センサの検出値との差分が予め設定された閾値以下のときは浴槽に湯水があると判定する制御部と、を備えた。
【発明の効果】
【０００７】
この発明によれば、湯水の有無の誤判定を防止することができる。
【図面の簡単な説明】
【０００８】
【図１】実施の形態１における給湯機の構成図である。
【図２】実施の形態１における給湯機のふろ循環運転時における湯水の流れを説明するための図である。
【図３】実施の形態１における給湯機が適用される浴槽に湯水がない状態でふろ循環ポンプを動作させた場合の水位センサの検出値の一例を示す図である。
【図４】図３の破線で囲まれた部分の拡大図である。
【図５】実施の形態１における給湯機のふろ循環ポンプの動作中におけるふろ循環ポンプの１次側の配管圧損が増加した場合とふろ循環ポンプの２次側の配管圧損が増加した場合の水位センサの検出値を示す図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における給湯機の構成図である。なお、本実施の形態では、給湯機の例として、貯湯式給湯機を用いて説明を行うが、給湯機は、貯湯式給湯機以外の構成でもよい。図１において、浴槽１は、家庭の浴室等に設けられる。浴槽アダプタ２は、浴槽１の内側面に設けられる。貯湯式給湯機３は、ＨＰユニット４とタンクユニット５とリモコン装置８とを備える。
【００１１】
ＨＰユニット４は、ヒートポンプサイクルを利用する。具体的には、ＨＰユニット４において、空気熱交換器９と圧縮機１０と水冷媒熱交換器１１の１次側と膨張弁１２とは、冷媒循環配管１３を介して環状に接続される。水冷媒熱交換器１１の２次側の入側は、ＨＰ往き配管１４の出側に接続される。水冷媒熱交換器１１の２次側の出側は、ＨＰ戻り配管１５の入側に接続される。ＨＰユニット４において、外気温度センサ１６は、外気の温度を検出し得るように設けられる。入水温度センサ１７は、流入する湯水の温度を検出し得るように設けられる。
【００１２】
空気熱交換器９は、冷媒循環配管１３の冷媒と大気中との間で熱交換を行い得るように設けられる。圧縮機１０は、冷媒を圧縮することにより冷媒の温度を上げ得るように設けられる。水冷媒熱交換器１１は、１次側に流れる冷媒と２次側に流れる低温水との間で熱交換を行い得るように設けられる。水冷媒熱交換器１１において、１次側に流れる冷媒と水道等の水源から直接供給される低温水との間で熱交換してもよい。膨張弁１２は、冷媒を膨張させることにより冷媒の温度を下げ得るように設けられる。
【００１３】
タンクユニット５において、貯湯タンク１８の下部は、低温水が流入され得るように設けられる。貯湯タンク１８の上部は、高温水が流入され得るように設けられる。貯湯タンク１８の上部と下部とは、温度差が生じた湯水を貯留し得るように設けられる。水導入口１８ａ、水導出口１８ｂ、水導入口１８ｃは、貯湯タンク１８の下部に設けられる。温水導出口１８ｄは、貯湯タンク１８の上部に設けられる。温水導出入口１８ｅは、貯湯タンク１８の上部に設けられる。中温水導出口１８ｆは、貯湯タンク１８の中間部に設けられる。中温水導入口１８ｇは、貯湯タンク１８の上部と中間部との間に設けられる。貯湯温度センサ１９と貯湯温度センサ２０と貯湯温度センサ２１とは、貯湯タンク１８の表面に高さを変えて取り付けられる。貯湯温度センサ１９は、中温水導出口１８ｆの直上において貯湯タンク１８の中間部に設けられる。貯湯温度センサ２０は、貯湯温度センサ１９の上方において貯湯タンク１８の上部に設けられる。貯湯温度センサ２１は、貯湯温度センサ１９の下方において貯湯タンク１８の下部に設けられる。
【００１４】
第１給水配管２２ａの入側は、水道等の水源に接続される。第１給水配管２２ａは、水道等の水源から水の供給を受け得るように設けられる。第２給水配管２２ｂの出側は、途中から分岐する。第３給水配管２２ｃの入側は、第２給水配管２２ｂの出側の一方に接続される。第３給水配管２２ｃの出側は、水導入口１８ａに接続される。第４給水配管２２ｄの入側は、第２給水配管２２ｂの出側の他方に隣接する。水導出口配管２３の入側は、後述の中温水切換弁２９のｃポートに接続される。温水導出配管２４の入側は、温水導出口１８ｄの合流地点から分岐される。温水導出配管２４の出側は、途中から分岐する。
【００１５】
減圧弁２５は、第１給水配管２２ａの出側に接続される。減圧弁２５は、第２給水配管２２ｂの入側に接続される。減圧弁２５は、第１給水配管２２ａから供給された水の圧力を調整し得るように設けられる。
【００１６】
三方弁２６は、ａポートとｂポートとｃポートとを備える。三方弁２６は、ａポートとｃポートをつなぐ流路とｂポートとｃポートをつなぐ流路とを切り替え得るように設けられる。ａポートは、水導出口配管２３の出側に接続される。
【００１７】
第１四方弁２７は、ａポートとｂポートとｃポートとｄポートとを備える。第１四方弁２７は、ａポートとｃポートとをつなぐ経路とａポートとｄポートとをつなぐ経路とｂポートとｃポートとをつなぐ経路とｂポートとｄポートとをつなぐ経路との間で流路を切り替え得るように設けられる。
【００１８】
第２四方弁２８は、ａポートとｂポートとｃポートとｄポートとを備える。第２四方弁２８は、ａポートとｂポートとをつなぐ経路とａポートとｃポートとをつなぐ経路とａポートとｄポートとをつなぐ経路との間で流路を切り替え得るように設けられる。
【００１９】
中温水切換弁２９は、ａポートとｂポートとｃポートとを備える。中温水切換弁２９は、ｂポートとｃポートとをつなぐ経路とａポートとｃポートとをつなぐ経路との間で流路を切り替え得るように設けられる。
【００２０】
給湯用混合弁３０は、第４給水配管２２ｄの出側の一方に接続される。給湯用混合弁３０は、温水導出配管２４の出側の一方に接続される。給湯用混合弁３０は、温水導出配管２４から供給される高温水と第４給水配管２２ｄから供給される低温水または中温水との流量比を調整することにより設定された温度の湯水を生成し得るように設けられる。
【００２１】
ふろ用混合弁３１は、第４給水配管２２ｄの出側の他方に接続される。ふろ用混合弁３１は、温水導出配管２４の出側の他方に接続される。ふろ用混合弁３１は、温水導出配管２４から供給される高温水と第４給水配管２２ｄから供給される低温水または中温水との流量比を調整することにより設定された温度の湯水を生成し得るように設けられる。
【００２２】
第１温水配管３２ａの入側は、第１四方弁２７のｄポートに接続される。第１温水配管３２ａの出側は、第２四方弁２８のａポートに接続される。第２温水配管３２ｂの入側は、第１四方弁２７のｃポートに接続される。第２温水配管３２ｂの出側は、水導入口１８ｃに接続される。第３温水配管３２ｃの入側は、第２四方弁２８のｂポートに接続される。第３温水配管３２ｃの出側は、温水導出入口１８ｅに接続される。第４温水配管３２ｄの入側は、第２四方弁２８のｄポートに接続される。第４温水配管３２ｄの出側は、温水導出口１８ｄに接続される。第５温水配管３２ｅの入側は、第２四方弁２８のｃポートに接続される。第５温水配管３２ｅの出側は、中温水導入口１８ｇに接続される。
【００２３】
第１送水配管３３ａの入側は、三方弁２６のｃポートに接続される。第１送水配管３３ａの出側は、ＨＰ往き配管１４の入側に接続される。第２送水配管３３ｂの入側は、第１送水配管３３ａの出側に接続される。第２送水配管３３ｂの出側は、第１四方弁２７のａポートに接続される。中温配管３４の出側は、中温水切換弁２９のｂポートに接続される。中温配管３４の入側は、中温水導出口１８ｆに接続される。第１タンク循環配管３５ａの入側は、温水導出入口１８ｅに接続される。第２タンク循環配管３５ｂの出側は、中温配管３４の途中に接続される。第３タンク循環配管３５ｃの出側は、三方弁２６のｂポートに接続される。第３タンク循環配管３５ｃは、途中において第２タンク循環配管３５ｂの入側に接続される。
【００２４】
熱源ポンプ３６は、第１送水配管３３ａに設けられる。熱源ポンプ３６は、タンクユニット５の各種配管に湯水を循環させ得るように設けられる。ふろ用熱交換器３７の１次側の入側は、第１タンク循環配管３５ａの出側に接続される。ふろ用熱交換器３７の１次側の出側は、第３タンク循環配管３５ｃの入側に接続される。ふろ用熱交換器３７は、第１タンク循環配管３５ａ側から供給される高温水を利用して、２次側の対象水を加熱し得るように設けられる。ふろ用熱交換器３７は、貯湯タンク１８の下部から供給される低温水を利用して２次側の対象水から熱を回収して冷却し得るように設けられる。逆止弁３８は、第２タンク循環配管３５ｂに設けられる。逆止弁３８は、貯湯タンク１８の中間部から貯湯タンク１８の下部へ向かう湯水の流れを阻害する方向に設けられる。
【００２５】
給湯配管３９の入側は、給湯用混合弁３０に接続される。給湯配管３９は、湯水が給湯用混合弁３０から流入し得るように設けられる。ふろ配管４０の入側は、ふろ用混合弁３１に接続される。ふろ配管４０は、ふろ用混合弁３１から流入し得るように設けられる。
【００２６】
ふろ往き配管４１の入側は、ふろ用熱交換器３７の２次側の出側に接続される。ふろ往き配管４１の出側は、浴槽アダプタ２に接続される。ふろ往き配管４１は、途中においてふろ配管４０の出側に接続される。ふろ往き配管４１は、湯水がふろ配管４０から供給され得るように設けられる。ふろ戻り配管４２の入側は、浴槽アダプタ２に接続される。ふろ戻り配管４２の出側は、ふろ用熱交換器３７の２次側の入側に接続される。
【００２７】
ふろ循環ポンプ４３は、ふろ戻り配管４２に設けられる。ふろ循環ポンプ４３は、浴槽水を循環させ得るように設けられる。ふろ往き温度センサ４４は、ふろ往き配管４１に設けられる。ふろ往き温度センサ４４は、ふろ用熱交換器３７から供給された湯水の温度を検出し得るように設けられる。ふろ戻り温度センサ４５は、ふろ戻り配管４２に設けられる。ふろ戻り温度センサ４５は、浴槽１から供給された浴槽水の温度を検出し得るように設けられる。水位センサ４６は、ふろ戻り配管４２においてふろ循環ポンプ４３の２次側に設けられる。水位センサ４６は、圧力センサとして、ふろ戻り配管４２の内部の圧力を検出し得るように設けられる。水位センサ４６は、ふろ戻り配管４２の内部の圧力の検出結果に基づいて浴槽１の内部の残水の水位レベルを検出し得るように設けられる。
【００２８】
給湯栓４７は、給湯配管３９の出側に接続される。給湯栓４７は、湯水が給湯配管３９から流入し得るように設けられる。給湯栓４７は、図示されないシャワー、図示されないカラン等に湯水を供給し得るように設けられる。ふろ用電磁弁４８は、ふろ配管４０の途中に設けられる。ふろ用電磁弁４８は、ふろ配管４０を開閉し得るように設けられる。ふろ用流量センサ４９は、ふろ配管４０においてふろ用電磁弁４８よりも入側に設けられる。ふろ用流量センサ４９は、ふろ配管４０を通過する湯水の流量を羽根車の回転により検出し得るように設けられる。
【００２９】
制御部５０は、ＨＰユニット４の各種機器と電気的に接続される。制御部５０は、タンクユニット５の各種機器と電気的に接続される。制御部５０は、これらの機器の動作を制御し得るように設けられる。
【００３０】
例えば、制御部５０は、貯湯温度センサ１９と貯湯温度センサ２０と貯湯温度センサ２１との検出結果に基づいて貯湯タンク１８の内部の湯水の温度分布を検出する。制御部５０は、貯湯タンク１８の内部の湯水の温度分布の検出結果に基づいて貯湯タンク１８の内部の残湯量を把握する。制御部５０は、貯湯タンク１８の内部の残湯量に基づいてＨＰユニット４による貯湯タンク１８の内部の湯水の沸上運転の開始および停止を制御する。
【００３１】
制御部５０は、ＨＰユニット４の運転を開始することにより沸上運転を開始する。その結果、低温水が貯湯タンク１８の下部から流出する。当該低温水は、ＨＰ往き配管１４を経由してＨＰユニット４に導かれる。その後、当該低温水は、水冷媒熱交換器１１において加熱されることにより高温水となる。当該高温水は、ＨＰ戻り配管１５を経由して貯湯タンク１８の上部から当該貯湯タンク１８の内部に流入することにより貯えられる。この際、貯湯タンク１８の内部において、高温水は、上層部から貯えられていく。その結果、高温水の層が徐々に厚くなっていく。貯湯タンク１８の内部の残湯量が予め設定された量を超えると、制御部５０は、ＨＰユニット４の運転を停止することにより沸上運転を停止する。
【００３２】
リモコン装置８は、制御部５０と相互通信し得るように設けられる。リモコン装置８は、外部からの操作を受け付け得るように設けられる。例えば、リモコン装置８は、運転動作指令に対応した操作を受け付け得るように設けられる。例えば、リモコン装置８は、設定値の変更に対応した操作を受け付け得るように設けられる。
【００３３】
例えば、リモコン装置８は、図示されない操作部を備える。例えば、当該操作部は、使用者の操作を受け付けるように設けられる。例えば、当該操作部は、スイッチである。例えば、リモコン装置８は、図示されないマイクを備える。当該マイクは、使用者の音声の入力を受け付け得るように設けられる。
【００３４】
例えば、リモコン装置８は、図示されない表示部を備える。当該表示部は、貯湯式給湯機３の状態等の情報を表示し得るように設けられる。例えば、リモコン装置８は、スピーカーである。当該スピーカーは、貯湯式給湯機３の状態等の情報を音声で出力し得るように設けられる。
【００３５】
例えば、使用者がリモコン装置８において湯はり運転モードを選択すると、リモコン装置８において予め設定された温度および量の湯が生成される。当該湯は、浴槽１に供給される。例えば、使用者がリモコン装置８において風呂自動運転モードを選択すると、浴槽１の湯水の温度および量がリモコン装置８において設定された温度および湯量に維持されるように、必要に応じて浴槽１の湯水への昇温、冷却、たし湯、さし水が行われる。
【００３６】
図２は実施の形態１における給湯機のふろ循環運転時における湯水の流れを説明するための図である。ふろ循環運転において、ふろ循環ポンプ４３が動作を開始すると、浴槽水は、循環を開始する。当該浴槽水は、浴槽１からふろ戻り配管４２とふろ用熱交換器３７とふろ往き配管４１とを介して浴槽１に戻るように循環する。このように、当該浴槽水は、水位センサ４６を含むふろ循環回路の内部を循環する。
【００３７】
図３は実施の形態１における給湯機が適用される浴槽に湯水がない状態でふろ循環ポンプを動作させた場合の水位センサの検出値の一例を示す図である。図４は図３の破線で囲まれた部分の拡大図である。例えば、図３と図４とは浴槽１に湯はりをする初期運転時の例を示す。
【００３８】
例えば、浴槽１への湯はりが貯湯式給湯機３から行われずに浴室の蛇口から行われた場合、浴槽１には湯水があるにもかかわらず、ふろ循環回路の内部には、湯水がない。この状態において、ふろ循環ポンプ４３を動作させると、空運転となる。この場合、浴槽１の内部の湯水の有無が誤判定される。
【００３９】
当該誤判定の防止のため、図３に示されるように、循環運転に入る前にふろ用電磁弁４８が開かれる。その結果、ふろ循環回路の内部は、湯水で満たされる。制御部５０は、一定の湯量の給湯後に水位センサ４６の検出値Ｐ（０）を記憶する。例えば、制御部５０は、ふろ配管４０の長さが最大になる条件でもふろ配管４０の内部を湯水で満たせる量まで給湯した後に水位センサ４６の検出値Ｐ（０）を記憶する。その後、制御部５０は、ふろ循環ポンプ４３を動作させる。
【００４０】
ふろ循環ポンプ４３の動作直後においては、ふろ配管４０の内部の残水が循環する。このため、水位センサ４６は、ふろ循環ポンプ４３の揚程から配管の圧損を除いた分の圧力を検出する。循環ポンプ４３の動作がそのまま続くと、ふろ配管４０の内部の残水がなくなる。このため、ふろ循環ポンプ４３は、湯水を吐出することができない。その結果、水位センサ４６の検出値は小さくなる。その後、制御部５０は、ふろ循環ポンプ４３を停止させて再び水位センサ４６の検出値Ｐ（０）’を記憶する。
【００４１】
図４に示されるように、ふろ配管４０の内部の残水量が減少すると、Ｐ（０）とＰ（０）’とにおいて、差分が発生している。具体的には、Ｐ（０）’の方が３０ｍｍから４０ｍｍ程度大きい。浴槽１の内部に湯水がある場合は、ふろ循環ポンプ４３の動作前後で、配管の内部および浴槽１の内部の湯水の量は変化しない。このため、Ｐ（０）とＰ（０）’とにおいて、差分は発生しない。
【００４２】
このため、制御部５０は、Ｐ（０）とＰ（０）’との差分の値が予め設定された閾値以下の場合に水があると判定する。制御部５０は、Ｐ（０）とＰ（０）’との差分の値が予め設定された閾値よりも大きい場合に水がないと判定する。この際の閾値は、水位センサ４６の検出のばらつきを考慮して設定される。例えば、当該閾値は、１０ｍｍに設定される。
【００４３】
例えば、浴槽１の湯水を温める追いだき運転が行われる場合、追いだき運転前に浴槽１の内部の湯水の有無を確認するための循環動作が行われる。この際、Ｐ（０）またはＰ（０）’の記憶中に入浴者が浴槽１の内部において入出浴をした場合、Ｐ（０）とＰ（０）’とにおいて、差分が生じる。この場合、浴槽１の内部に湯水があるにもかかわらず、浴槽１の内部に湯水がないと誤判定され得る。また、空気が配管の内部にたまっていると、ふろ循環ポンプ４３の動作により当該空気が排出された場合も、Ｐ（０）とＰ（０）’とにおいて、差分が生じる。この場合も、浴槽１の内部に水がないと誤判定され得る。
【００４４】
当該誤判定を防止するために、制御部５０は、ふろ循環ポンプ４３を２回動作させて、ふろ循環ポンプ４３の２度目の動作前の水位センサ４６の検出値Ｐ（０）’とふろ循環ポンプ４３の２度目の停止後の水位センサ４６の検出値Ｐ（０）’’との差分も測定する。制御部５０は、ふろ循環ポンプ４３の１度目の動作前とふろ循環ポンプ４３の１度目の動作停止後の水位センサ４６の検出値の差分、もしくは、ふろ循環ポンプ４３の２度目の動作前とふろ循環ポンプ４３の２度目の動作停止後の水位センサ４６の検出値の差分がある場合に閾値以下である場合に浴槽１に湯水があると判定する。
【００４５】
続いて、ふろ循環ポンプ４３の詳細な動作内容を説明する。ふろ循環ポンプ４３の１度目の動作は、ふろ配管４０の内部の残水を排出した後に浴槽１の内部の湯水の有無を判定することを目的とする。このため、制御部５０は、ふろ循環ポンプ４３を最大回転数で回転させる。さらに、制御部５０は、ふろ循環ポンプ４３の１度目の動作時間をふろ配管４０の長さが最長の場合でも浴槽１の湯水がふろ循環ポンプ４３に引き込める時間に設定する。例えば、ふろ配管４０の最長配管長時の配管容積が５Ｌで循環流量が５Ｌ／ｍｉｎで湯水を引き込める場合、制御部５０は、ふろ循環ポンプ４３の１度目の動作時間を１ｍｉｎに設定する。
【００４６】
ここで、ふろ配管４０の配管圧損が増加し、循環流量が著しく少なくなっている状況を考える。図３のふろ循環ポンプ４３の１度目の動作時において、ふろ配管４０内部の残水が充分に排出されない。この場合、ふろ循環ポンプ４３の動作前の水位センサ４６の検出値Ｐ（０）とふろ循環ポンプ４３の動作停止後の水位センサ４６の検出値Ｐ（０）’とにおいて、閾値よりも大きい差分が生じない。その結果、浴槽１に湯水があると誤判定され得る。
【００４７】
図５は実施の形態１における給湯機のふろ循環ポンプの動作中におけるふろ循環ポンプの１次側の配管圧損が増加した場合とふろ循環ポンプの２次側の配管圧損が増加した場合の水位センサの検出値を示す図である。１次側の配管が詰まって配管圧損が増加していくにつれて、ふろ循環ポンプ４３の揚程が下がっていく。このため、水位センサ４６の検出値が小さくなっていく。一方、２次側の配管圧損が増加していくにつれて、ふろ循環ポンプ４３の揚程が上がっていく。このため、水位センサ４６の検出値が大きくなっていく。
【００４８】
そこで、制御部５０は、ふろ循環ポンプ４３の１度目の動作時間を設定する上で基準とした循環流量（５Ｌ／ｍｉｎ）を下回る状況を検出した場合は、ふろ循環ポンプ４３の動作中の水位センサ４６の検出値Ｐ（β）が第１基準値以上かつ第１基準値よりも大きい第２基準値以下である場合を正常と判定する。図５の場合、制御部５０は、ふろ循環ポンプ４３の動作中の水位センサ４６の検出値Ｐが約２７００以上かつ約５０００である場合を正常と判定する。
【００４９】
ふろ循環ポンプ４３の動作中の水位センサ４６の検出値Ｐ（β）が第１基準値（約２７００）未満である場合、制御部５０は、ふろ循環ポンプ４３の１次側の配管圧損の増加に伴う循環流量不足であると判定する。ふろ循環ポンプ４３の動作中の水位センサ４６の検出値Ｐ（β）が第２基準値（約５０００）を越える場合、制御部５０は、ふろ循環ポンプ４３の２次側の配管圧損増加に伴う循環流量不足であると判定する。制御部５０は、循環流量不足と判定した場合にリモコン装置８を介して使用者に循環流量不足の原因を示す情報を報知する。
【００５０】
当該判定が行われる場合、水位センサ４６の検出値Ｐ（β）は浴槽１の設置の高さにより異なる。水位センサ４６の検出値Ｐ（β）の影響を受けずに判定する場合、ふろ循環ポンプ４３の動作中の水位センサ４６検出値Ｐ（β）と２度目のふろ循環ポンプ４３の動作停止後の水位センサ４６検出値P（０）’’との差分で判定すればよい。この際の判定基準は、上記と同様に約２７００から約５０００を正常とすればよい。
【００５１】
また、ふろ循環ポンプ４３の動作中に水位センサ４６の検出値Ｐ（β）を取得する場合、Ｐ（β）に水位センサ４６と浴槽１との間の水頭圧を加えた値が、水位センサ４６の上限検出値以下に設定されていなければ、正確な判定ができない。このため、ふろ循環ポンプ４３の動作中に水位センサ４６の検出値Ｐ（β）を取得する場合、ふろ循環ポンプ４３の回転数βは、Ｐ（β）に水位センサ４６と浴槽１と間の水頭圧を加えた値が水位センサ４６の上限検出値以下となるように設定されればよい。
【００５２】
以上で説明した実施の形態１によれば、制御部５０は、ふろ循環ポンプ４３の動作前の水位センサ４６の検出値とふろ循環ポンプ４３の動作停止後の水位センサ４６の検出値との差分が閾値以下である場合に浴槽１に湯水があると判定する。このため、浴槽１の湯水の有無の誤判定を防止することができる。
【００５３】
また、制御部５０は、ふろ循環ポンプ４３の動作前の水位センサ４６の検出値とふろ循環ポンプ４３の動作停止後の水位センサ４６の検出値との差分が閾値以下のときと閾値よりも大きいときとで異なる制御を行う。このため、状況に応じて適切な制御を行うことができる。
【００５４】
また、制御部５０は、ふろ循環ポンプ４３の１度目の動作前とふろ循環ポンプ４３の１度目の動作停止後の水位センサ４６の検出値の差分、もしくは、ふろ循環ポンプ４３の２度目の動作前とふろ循環ポンプ４３の２度目の動作停止後の水位センサ４６の検出値の差分がある場合に閾値以下である場合に浴槽１に湯水があると判定する。このため、浴槽１の湯水の有無を確実に判定することができる。
【００５５】
また、制御部５０は、ふろ循環ポンプ４３の１度目の動作回転数をふろ循環ポンプ４３の最大回転数とする。このため、ふろ配管４０の内部の残水を排出した後、浴槽１の湯水の有無を確実に判定することができる。
【００５６】
また、制御部５０は、ふろ循環ポンプ４３の１度目の動作時間をふろ配管４０の長さが最長の場合でも浴槽１の湯水がふろ循環ポンプ４３に引き込める時間に設定する。このため、ふろ配管４０の内部の残水を排出した後、浴槽１の湯水の有無を確実に判定することができる。
【００５７】
また、ふろ循環ポンプ４３の回転数βは、Ｐ（β）に水位センサ４６と浴槽１との間の水頭圧を加えた値が水位センサ４６の上限検出値以下となるように設定される。このため、ふろ循環ポンプ４３の動作中に水位センサ４６の検出値Ｐ（β）を正確に判定することができる。
【００５８】
また、ふろ循環ポンプ４３の動作中の水位センサ４６の検出値Ｐ（β）が第１基準値未満である場合、制御部５０は、ふろ循環ポンプ４３の１次側の原因による循環不良と判定する。このため、循環不良の原因となっている箇所を把握することができる。
【００５９】
また、ふろ循環ポンプ４３の動作中の水位センサ４６の検出値Ｐ（β）が第２基準値を越える場合、制御部５０は、ふろ循環ポンプ４３の２次側の原因による循環不良と判定する。このため、循環不良の原因となっている箇所を把握することができる。
【００６０】
なお、ふろ循環回路が最大長で発生させることのできるふろ循環ポンプ４３の基準回転数で動作させた際にふろ循環ポンプ４３の１次側が閉塞したときの水位センサ４６の検出値を第１基準値とすればよい。さらに、ふろ循環回路が最大長で発生させることのできるふろ循環ポンプ４３の基準回転数で動作させた際にふろ循環ポンプ４３の２次側が閉塞したときの水位センサ４６の検出値を第２基準値とすればよい。この場合、循環不良の原因となっている箇所をより正確に把握することができる。
【００６１】
また、制御部５０は、循環不良と判定した場合にリモコン装置８に循環不良の原因を示す情報を報知させる。このため、使用者に対して循環不良の原因となっている箇所を知らせることができる。
【符号の説明】
【００６２】
１  浴槽、  ２  浴槽アダプタ、  ３  貯湯式給湯機、  ４  ＨＰユニット、  ５  タンクユニット、  ８  リモコン装置、  ９  空気熱交換器、  １０  圧縮機、  １１  水冷媒熱交換器、  １２  膨張弁、  １３  冷媒循環配管、  １４  ＨＰ往き配管、  １５  ＨＰ戻り配管、  １６  外気温度センサ、  １７  入水温度センサ、  １８  貯湯タンク、  １８ａ  水導入口、  １８ｂ  水導出口、  １８ｃ  水導入口、  １８ｄ  温水導出口、  １８ｅ  温水導出入口、  １８ｆ  中温水導出口、  １８ｇ  中温水導入口、  １９  貯湯温度センサ、  ２０  貯湯温度センサ、  ２１  貯湯温度センサ、  ２２ａ  第１給水配管、  ２２ｂ  第２給水配管、  ２２ｃ  第３給水配管、  ２２ｄ  第４給水配管、  ２３  水導出口配管、  ２４  温水導出配管、  ２５  減圧弁、  ２６  三方弁、  ２７  第１四方弁、  ２８  第２四方弁、  ２９  中温水切換弁、  ３０  給湯用混合弁、  ３１  ふろ用混合弁、  ３２ａ  第１温水配管、  ３２ｂ  第２温水配管、  ３２ｃ  第３温水配管、  ３２ｄ  第４温水配管、  ３２ｅ  第５温水配管、  ３３ａ  第１送水配管、  ３３ｂ  第２送水配管、  ３４  中温配管、  ３５ａ  第１タンク循環配管、  ３５ｂ  第２タンク循環配管、  ３５ｃ  第３タンク循環配管、  ３６  熱源ポンプ、  ３７  ふろ用熱交換器、  ３８  逆止弁、  ３９  給湯配管、  ４０  ふろ配管、  ４１  ふろ往き配管、  ４２  ふろ戻り配管、  ４３  循環ポンプ、  ４４  ふろ往き温度センサ、  ４５  ふろ戻り温度センサ、  ４６  水位センサ、  ４７  給湯栓、  ４８  ふろ用電磁弁、  ４９  ふろ用流量センサ、  ５０  制御部
【図１】
2019184116.tif 000003
【図２】
2019184116.tif 000004
【図３】
2019184116.tif 000005
【図４】
2019184116.tif 000006
【図５】
2019184116.tif 000007